(57)【要約】【課題】外壁施工の効率化及び工期短縮を図れ、外壁施工を安全かつ良好に行え、建物施工全体の工期短縮を図れるようにする。【解決手段】上方からｎ階の床に外壁材を搬入するための搬入口を残してｎ階よりも１つ上の階の床部分を構築する第１ステップと、ｎ階よりも１つ上の階に残した搬入口を介してｎ階の外壁を構築するために必要な複数の外壁材をｎ階に搬入し、かつ、当該ｎ階に搬入された複数の外壁材を、ｎ階の床上において、当該各外壁材の各塗装対象面を上に向けた状態でかつ各外壁材の取付位置の近傍に配置する第２ステップと、ｎ階の１つ上の階の搬入口を塞いだ後、ｎ階の床上に配置されている各外壁材の各塗装対象面に塗装を施して乾燥させる３ステップと、塗装が乾燥した各外壁材を用いてｎ階の外壁を構築する第４ステップと備え、第１ステップから第４ステップまでのステップを繰り返すことにより、ｎ階以上の階を順番に構築する。【選択図】図３
2018168662.tif 000002
【特許請求の範囲】
【請求項１】
上方からｎ階の床に外壁材を搬入するための搬入口を残してｎ階よりも１つ上の階の床部分を構築する第１ステップと、
タワークレーンを用い、ｎ階よりも１つ上の階に残した搬入口を介してｎ階の外壁を構築するために必要な複数の外壁材をｎ階に搬入し、かつ、当該ｎ階に搬入された複数の外壁材を、ｎ階の床上において、当該各外壁材の各塗装対象面を上に向けた状態でかつ各外壁材の取付位置の近傍に配置する第２ステップと、
ｎ階の１つ上の階の搬入口を塞いだ後、ｎ階の床上に配置されている各外壁材の各塗装対象面に塗装を施して乾燥させる３ステップと、
塗装が乾燥した各外壁材を用いてｎ階の外壁を構築する第４ステップと備え、
第１ステップから第４ステップまでのステップを繰り返すことにより、ｎ階以上の階を順番に構築することを特徴とする建物の構築方法。
【請求項２】
ｎ階の１つ上の階の搬入口を塞いだ後、ｎ階の床上で外壁材の塗装対象面に施された塗装が乾燥するまでの間において、タワークレーンを用いてｎ階の１つ上の階の柱を建てて梁を接続する建て方工事を行うことを特徴とする請求項１に記載の建物の構築方法。
【請求項３】
搬入口を塞ぐデッキプレートを設置し、デッキプレート上にコンクリートを打設してｎ階の１つ上の階の床を完成させることにより、ｎ階の１つ上の階の搬入口を塞ぐことを特徴とする請求項１又は請求項２に記載の建物の構築方法。
【請求項４】
外壁を構築する作業を建物の床上で行うことを特徴とする請求項１乃至請求項３のいずれか一項に記載の建物の構築方法。
【請求項５】
第２ステップでは、床上に並べられた外壁材が建物外側に位置する一端側を起点として立ち上げられた場合に、外壁材の塗装された面が外壁材の取付位置の近傍において建物の外側に向くように、各外壁材が床上に並べられたことを特徴とする請求項１乃至請求項４のいずれか一項に記載の建物の構築方法。
【発明の詳細な説明】
【技術分野】
【０００１】
本発明は、建物の構築方法、特に、外壁施工の効率化及び工期短縮が図れ、かつ、外壁施工を安全かつ良好に行えるとともに、建物施工全体の工期短縮が図れるようにした方法に関する。
に関する。
【背景技術】
【０００２】
従来、建物躯体にＡＬＣ（軽量気泡コンクリート）板等の外壁材を取付けた後に当該外壁材の外壁面に塗装を施すことがある（例えば、特許文献１，２等参照）。
【先行技術文献】
【特許文献】
【０００３】
【特許文献１】特開２０００−１４５１５４号公報
【特許文献２】特開平６−２７２３７１号公報
【発明の概要】
【発明が解決しようとする課題】
【０００４】
しかしながら、建設中の建物の高所において建物躯体に外壁材を取付けた後に外壁材のの外壁面となる塗装対象面に塗装を施す場合、外壁材の取付作業及び塗装作業のために、外壁材の外壁面側に長期間、外部足場を設置したままとしなければならないだけでなく、外部足場を解体するためにタワークレーンも長期間設置したままとしなければならなくなり、作業効率が悪くなって工期短縮が図れないという課題があった。
また、外部足場上での塗装作業は、安全面でのリスクも高くなる。
また、特に寒冷期においては、作業者の感覚が麻痺して良い塗装作業を行えなかったり、外壁材の外壁面に吹き付けた氷雪が解けて当該外壁面を濡らした後、再び凍るので、外壁材の外壁面が塗装下地として好ましくない状態となり、良い塗装作業を行えない等の課題があった。
本発明は、外壁施工の効率化及び工期短縮が図れ、かつ、外壁施工を安全かつ良好に行えるとともに、建物施工全体の工期短縮が図れる建物の構築方法を提供するものである。
【課題を解決するための手段】
【０００５】
本発明に係る建物の構築方法は、上方からｎ階の床に外壁材を搬入するための搬入口を残してｎ階よりも１つ上の階の床部分を構築する第１ステップと、タワークレーンを用い、ｎ階よりも１つ上の階に残した搬入口を介してｎ階の外壁を構築するために必要な複数の外壁材をｎ階に搬入し、かつ、当該ｎ階に搬入された複数の外壁材を、ｎ階の床上において、当該各外壁材の各塗装対象面を上に向けた状態でかつ各外壁材の取付位置の近傍に配置する第２ステップと、ｎ階の１つ上の階の搬入口を塞いだ後、ｎ階の床上に配置されている各外壁材の各塗装対象面に塗装を施して乾燥させる３ステップと、塗装が乾燥した各外壁材を用いてｎ階の外壁を構築する第４ステップと備え、第１ステップから第４ステップまでのステップを繰り返すことにより、ｎ階以上の階を順番に構築することを特徴とするので、外壁施工の効率化及び工期短縮が図れ、かつ、外壁施工を安全かつ良好に行えるとともに、建物施工全体の工期短縮が図れるようになる。
また、ｎ階の１つ上の階の搬入口を塞いだ後、ｎ階の床上で外壁材の塗装対象面に施された塗装が乾燥するまでの間において、タワークレーンを用いてｎ階の１つ上の階の柱を建てて梁を接続する建て方工事を行うので、ｎ階の床上での塗装作業とｎ階の１つ上の階の建て方作業とを同時に行えるようになり、建物施工全体の工期短縮が図れるようになる。
また、搬入口を塞ぐデッキプレートを設置し、デッキプレート上にコンクリートを打設してｎ階の１つ上の階の床を完成させることにより、ｎ階の１つ上の階の搬入口を塞ぐので、ｎ階の床上での塗装作業とｎ階の１つ上の階の建て方作業とを同時に行えるようになるとともに、ｎ階の１つ上の階の搬入口を介してｎ階に物や粉塵等が侵入することによる外壁材の塗装への影響を防止できるようになり、品質に優れた外壁材の塗装面を形成することができるようになる。
また、外壁を構築する作業を建物の床上で行うので、タワークレーンを用いずにウインチ等の吊り上げ機械を用いて外壁材を取付位置に取付けて外壁を構築することができるようになるため、タワークレーンの使用期間を短くでき、コスト及び工期を減らすことが可能となる。複数の外壁材の塗装作業、及び、複数の外壁材を取付位置に取付けて外壁を構築する作業において、外部足場が不要となるため、外部足場の設置及び解体作業に係るコスト及び工期を減らすことが可能となる。
また、第２ステップでは、床上に並べられた外壁材が建物外側に位置する一端側を起点として立ち上げられた場合に、外壁材の塗装された面が外壁材の取付位置の近傍において建物の外側に向くように、各外壁材が床上に並べられたので、外壁材を取付位置に取付けて外壁を構築する際に、外壁材の向きを変更したりする作業をなくすことができて、外壁材の取付作業を簡単かつ効率的に行うことが可能となり、工期短縮が図れる。
【図面の簡単な説明】
【０００６】
【図１】建物の構築方法の手順を示す図。
【図２】建物の構築方法の手順を示す図。
【図３】建物の構築方法の手順を示す図。
【図４】建物の構築方法の手順を示す図。
【図５】建物の構築方法の手順を示す図。
【図６】建物の構築方法の手順を示す図。
【図７】外壁材の一例を示す斜視図。
【図８】床上に並べて配置された複数の外壁材を示す図。
【図９】外壁材の取付構造を示す図。
【発明を実施するための形態】
【０００７】
実施形態による建物の構築方法は、建設中の建物の高所において建物躯体の所定の取付位置に外壁材を取付ける前に、建設中の建物内部の床上に外壁材を搬入して当該外壁材の外壁面となる塗装対象面に塗装作業を行ってから当該塗装後の外壁材を建物躯体を取付けるようにした。
【０００８】
以下、実施形態の建物の構築方法の手順を図１乃至図９に基づいて説明する。
まず、図１に示すように、日中時間帯において、タワークレーン（建て方クレーン）５０を用いて建設中の建物１の高所である例えばｎ階としての５階部分１０の鉄骨柱（柱）２を建てるとともに鉄骨柱２，２間に図外の梁を接続する建て方工事を行うとともに、６階部分２０の床部分１９のデッキプレート３を敷設する。この際、後に５階部分１０の床９Ａ上に上方から外壁材４を搬入するための搬入口５を残しておく。即ち、上方から５階（ｎ階）の床に外壁材４を搬入するための搬入口５を残して６階（ｎ階よりも１つ上の階）の床部分１９を構築する。
そして、５階部分１０の建て方工事期間中に５階部分１０の床部分のデッキプレート上にコンクリートを打設して５階部分１０の床９Ａを構築する。
次に、建て方工事を行わない夜間時間帯において空いているタワークレーン５０を用い、６階部分の床部分１９に残しておいた搬入口５を介して５階部分１０の外壁４Ａ（図４参照）を構築するために必要な複数の外壁材４，４…を５階（ｎ階）に搬入して、図２に示すように、複数の外壁材４，４…を５階の床９Ａ上に配置する。この場合、５階に搬入された複数の外壁材４，４…を、図８に示すように、５階の床９Ａ上において、当該外壁材４，４の塗装対象面４ｆ，４ｆ…を上に向けた状態でかつ各外壁材４，４…が取付けられる各外壁材４，４…の取付位置の近傍に配置することで、塗装乾燥後に各外壁材４，４…を建物躯体の所定の取付位置に取付ける取付作業が容易となる。
【０００９】
図２に示すように、５階部分１０の外壁４Ａを構築するために必要な複数の外壁材４，４…を５階の床９Ａ上に上述したように配置した後、６階部分２０の床部分１９に残しておいた搬入口５をデッキプレート３で塞ぐ。
そして、６階部分の床部分１９に残しておいた搬入口５を塞いだ後、５階部分１０の床９Ａ上に配置されている各外壁材４，４…の各塗装対象面４ｆ，４ｆ…に塗装を施して乾燥させる。
また、６階部分２０の床部分１９に残しておいた搬入口５を塞いだ後、５階の床９Ａ上で各外壁材４，４…の各塗装対象面４ｆ，４ｆ…に施された塗装が乾燥するまでの間の、日中時間帯において、タワークレーン５０を用いて６階部分２０の鉄骨柱２を建てて梁を接続する建て方工事を行うとともに、７階部分３０の床部分２９のデッキプレート３を敷設する。この際、後に６階部分２０の床１９Ａ上に上方から外壁材４を搬入するための搬入口５を残しておく。
また、６階部分２０の建て方工事期間中に６階部分２０の床部分１９のデッキプレート３上にコンクリートを打設して図３に示すように６階の床１９Ａを完成させる。
また、５階部分の床９Ａ上で塗装された各外壁材４，４ｆ…の塗装が乾燥した後、図３に示すように、５階部分１０の躯体の所定の取付位置に各外壁材４，４ｆ…を取付けて、５階部分１０の外壁４Ａを構築する。即ち、塗装が乾燥した各外壁材４，４ｆ…を用いて５階の外壁４Ａを構築する。
【００１０】
以上説明した行程を繰り返すことにより、５階以上の階を順番に構築して、建物１を構築する。
【００１１】
即ち、図３に示すように、建て方工事を行わない夜間時間帯において空いているタワークレーン５０を用い、７階部分３０の床部分２９に残しておいた搬入口５を介して６階部分２０の外壁４Ａを構築するために必要な複数の外壁材４，４ｆ…を６階に搬入して、図４に示すように、複数の外壁材４，４…を６階の床１９Ａ上に配置する。この場合も、６階に搬入された複数の外壁材４，４…を、図８に示すように、６階の床１９Ａ上において、当該外壁材４，４…の塗装対象面４ｆ，４ｆ…を上に向けた状態でかつ各外壁材４，４…が取付けられる各外壁材４，４…の取付位置の近傍に配置する。
そして、図４に示すように、６階部分２０の外壁４Ａを構築するために必要な複数の外壁材４，４…を６階の床１９Ａ上に配置した後、７階部分３０の床部分２９に残しておいた搬入口５をデッキプレート３で塞ぐ。
さらに、７階部分３０の床部分２９に残しておいた搬入口５を塞いだ後、６階部分２０の床１９Ａ上に配置されている外壁材４，４…の塗装対象面４ｆ，４ｆ…に塗装を施して乾燥させる。
また、７階部分２０の床部分２９に残しておいた搬入口５を塞いだ後、６階の床１９Ａ上で各外壁材４，４…の各塗装対象面４ｆ，４ｆ…に施された塗装が乾燥するまでの間の、日中時間帯において、タワークレーン５０を用いて７階部分３０の鉄骨柱２を建てて梁を接続する建て方工事を行うとともに、８階部分４０の床部分３９のデッキプレート３を敷設する。この際、後に７階部分３０の床２９Ａ上に上方から外壁材４を搬入するための搬入口５を残しておく。
そして、７階部分３０の建て方工事期間中に７階部分３０の床部分２９のデッキプレート３上にコンクリートを打設して図５に示すように７階部分３０の床２９Ａを完成させる。
また、６階部分２０の床１９Ａ上で塗装された各外壁材４，４…の塗装が乾燥した後、図５に示すように、６階部分２０の躯体に各外壁材４，４…を取付けて、６階部分２０の外壁４Ａを構築する。
そして、図５に示すように、建て方工事を行わない夜間時間帯において空いているタワークレーン５０を用い、８階部分４０の床部分３９に残しておいた搬入口５を介して７階部分３０の外壁４Ａを構築するために必要な複数の外壁材４，４…を７階に搬入して、図６に示すように、複数の外壁材４，４…を７階の床２９Ａ上に配置する。この場合も、７階に搬入された複数の外壁材４，４…を、図８に示すように、７階の床２９Ａ上において、当該外壁材４，４…の塗装対象面４ｆ，４ｆ…を上に向けた状態でかつ各外壁材４，４…が取付けられる各外壁材４，４…の取付位置の近傍に配置する。
そして、図６に示すように、８階部分４０の床部分３９に残しておいた搬入口５をデッキプレート３で塞ぎ、７階部分３０の床１９Ａ上に搬入されている外壁材４の塗装対象面４ｆに塗装を施して乾燥させる。
【００１２】
即ち、実施形態による建物の構築方法は、上方からｎ階の床に外壁材４を搬入するための搬入口５を残してｎ階よりも１つ上の階の床部分を構築する第１ステップと、タワークレーン５０を用い、ｎ階よりも１つ上の階に残した搬入口５を介してｎ階の外壁４Ａを構築するために必要な複数の外壁材４，４…をｎ階に搬入し、かつ、当該ｎ階に搬入された複数の外壁材４，４…を、ｎ階の床上において、当該各外壁材４，４…の各塗装対象面４ｆ，４ｆ…を上に向けた状態でかつ各外壁材４，４…の取付位置の近傍に配置する第２ステップと、ｎ階の１つ上の階の搬入口５を塞いだ後、ｎ階の床上に配置されている各外壁材４，４…の塗装対象面４ｆ，４ｆ…に塗装を施して乾燥させる３ステップと、塗装が乾燥した各外壁材４，４…を用いてｎ階の外壁４Ａを構築する第４ステップと備え、第１ステップから第４ステップまでのステップを繰り返すことにより、ｎ階以上の階を順番に構築するようにしている。
【００１３】
図７に示すように、外壁材４としては、例えば、中空部４ａを有して軽量化された長方形板状のＡＬＣ板を用いる。
当該外壁材４は、一方の長辺側端面である一端面４Ｘに凸部４ｂを備え、他方の長辺側端面である他端面４Ｙ側に凹部４ｃを備えた構成であり、互いに上下に隣り合う外壁材４，４同士が凹凸係合されて連結されることにより、外壁４Ａが構築される。
尚、当該外壁材４は、長辺側端面が垂直方向に沿って延長するように配置されて取付けられたり、あるいは、長辺側端面が水平方向に沿って延長するように配置されて取付けられる。
【００１４】
複数の外壁材４，４…を躯体の所定の取付位置に取付けて外壁４Ａを構築する作業は、ウインチ等の吊り上げ機械を用いて建物の床上で行う。このように、外壁４Ａを構築する作業を、ウインチ等の吊り上げ機械を用いて建物の床上で行うことにより、従来のように、タワークレーンを用いて外部足場上から外壁材を取付位置に取付けて外壁を構築する場合と比べて、タワークレーン５０を用いずに外壁材４，４…を取付位置に取付けて外壁４Ａを構築することができるため、タワークレーン５０の使用期間を短くでき、コスト及び工期を減らすことが可能となる。
【００１５】
また、図８に示すように、複数の外壁材４，４…を、床上において、当該各外壁材４，４…の各塗装対象面４ｆ，４ｆ…を上に向けた状態でかつ各外壁材４，４…の取付位置の近傍に配置する場合においては、床上に並べられた外壁材４が建物外側に位置する一端側を起点として上述したウインチ等の吊り上げ機械を用いて立ち上げられた場合に、外壁材４の塗装された面が外壁材４の取付位置の近傍位置において建物の外側に向くように、各外壁材４，４…を床上に並べておく。このようにすることで、外壁材４を取付位置に取付けて外壁４Ａを構築する際に、外壁材４の向きを変更したりする作業をなくすことができて、外壁材４の取付作業を簡単かつ効率的に行うことが可能となり、工期短縮が図れる。
【００１６】
図９に示すように、外壁４Ａの取付構造は、例えば床１９Ａのデッキプレート３の下面に梁となるＨ形鋼６０の上側フランジ６１及び上側連結部材７０を溶接等で連結したり、デッキプレート３の下面に溶接などで連結されたＨ形鋼６０の下側フランジ６２に下側連結部材７１を溶接等で連結し、そして、下階の最上部側に位置される外壁材４の内面４ｕに取付けられた例えばＺ形金物等の取付部７３と下側連結部材７１とをボルトナット等の連結具７５で連結するともに、当該下階の最上部側に位置される外壁材４の一端面４Ｘに形成された凸部４ｂに上階の最下部側に位置される外壁材４の他端面４Ｙに形成された凹部４ｃを係合させた後、上階の最下部側に位置される外壁材４の内面４ｕに取付けられた例えばＺ形金物等の取付部７４と上側連結部材７０とをボルトナット等の連結具７６で連結する。そして、Ｈ形鋼６０の表面を、ロックウール吹き付け等による耐火被覆７８で覆う。尚、階の最下部側と最上部側とに位置される外壁材４以外の外壁材４は、下側に位置される外壁材４の一端面４Ｘに形成された凸部４ｂに上側に位置される外壁材４の他端面４Ｙに形成された凹部４ｃを係合させることで連結する。また、凸部４ｂと凹部４ｃとの係合部には、シーリング材を充填する。また、隣り合う外壁材４と外壁材４との間（目地）にもシーリング材を充填する。
【００１７】
実施形態による建物の構築方法によれば、建設中の建物１の高所において建物１の外側に外壁材４を取付ける前に、建設中の建物１の内側の床上に外壁材４を搬入して外壁材４に塗装作業を行ってから当該塗装後の外壁材４を建物躯体に取付けて外壁４Ａを構築するため、従来のように、建設中の建物の高所において建物躯体に外壁材を取付けた後に外壁材の外壁面に塗装を施す場合と比べて、塗装後の外壁材４の取付作業が終了した後に外部足場をすぐに解体することができるので、タワークレーン５０で外部足場を早期に解体できて、建て方工事が終了した後、早期にタワークレーンを解体することが可能となり、外壁施工の効率化及び工期短縮が図れ、かつ、外壁施工を安全かつ良好に行えるとともに、建物施工全体の工期短縮が図れる。
【００１８】
また、外壁材４を建設中の建物１の床に搬入した後に床上にて外壁材４の塗装対象面４ｆに塗装作業を行うので、外壁施工を安全かつ良好に行えるようになる。
【００１９】
また、タワークレーン５０が空いている夜間時間帯に外壁材４を搬入して、夜間時間帯以外の時間帯にタワークレーン５０を用いて建て方作業や外壁設置作業を行える。即ち、タワークレーン５０を昼夜フル稼働させることで、タワークレーン５０を早期に解体できるようになり、建物施工全体の工期短縮が図れるようになる。
【００２０】
また、実施形態では、上の階の搬入口５を塞いだ後、下の階の床上で外壁材４の塗装対象面４ｆに施された塗装が乾燥するまでの間において、タワークレーン５０を用いて上の階の柱を建てて梁を接続する建て方工事を行うので、下階の床上での塗装作業と上階の建て方作業とを同時に行えるようになり、建物施工全体の工期短縮が図れるようになる。
【００２１】
また、実施形態では、下階部分の外壁４Ａを構築するために必要な複数の外壁材４，４…を下階に搬入して外壁材４の塗装対象面４ｆに塗装作業を行う前に、上階部分の床部分に残しておいた搬入口５をデッキプレート３で塞ぐようにしたので、搬入口５を確実に塞ぐことができるため、下階の床上での塗装作業と上階の建て方作業とを同時に行えるようになるとともに、搬入口５を介して下階に物や粉塵等が侵入することによる外壁材４の塗装への影響を防止できるようになり、品質に優れた外壁材４の塗装面を形成することができるようになる。
尚、搬入口５を、シート材や板材などで塞ぎ、後にデッキプレート３で塞いだ後に当該デッキプレート３上にコンクリートを打設して上階の床を完成させるようにしてもよい。
【００２２】
尚、上記では、一つの階毎に建て方作業を行う例を示したが、建て方作業は、複数階分をまとめて行うようにしても構わない。実際には、このように、建て方作業を複数階分をまとめて行うことが多い。
【符号の説明】
【００２３】
１  建物、２  鉄骨柱、４  外壁材、４Ａ  外壁、４ｆ  塗装対象面、５  搬入口、
１０  ５階部分、２０  ６階部分、３０  ７階部分、４０  ８階部分、
９，１９，２９，３９  各階の床部分、９Ａ，１９Ａ，２９Ａ  各階の床、
５０  タワークレーン。
【図１】
2018168662.tif 000003
【図２】
2018168662.tif 000004
【図３】
2018168662.tif 000005
【図４】
2018168662.tif 000006
【図５】
2018168662.tif 000007
【図６】
2018168662.tif 000008
【図７】
2018168662.tif 000009
【図８】
2018168662.tif 000010
【図９】
2018168662.tif 000011